(57)【要約】【課題】携帯電話としての機能を有しつつ、必要に応じて両手を用いてドラムセット等の打楽器と同様の演奏を行えるようにすること。【解決手段】別体となる第１及び第２の本体部１１，１２と、第１及び第２の本体部１１，１２を相互に結合及び分離させるための連結部１８と、第１及び第２の本体部１１，１２にそれぞれ設けられた検出手段１４とを備えて携帯電話機１０が構成されている。検出手段１４は、ユーザが分離した第１及び第２の本体部１１，１２を保持した状態で、ユーザに対する第１及び第２の本体部１１，１２の向きを検出可能に設けられる。第１及び第２の本体部１１，１２を分離した後、それらの何れか一方を右手で保持し、他方を左手で保持することにより、両手を用いて演奏操作を行うことができる。【選択図】図１
2010020254.tif 000002
【特許請求の範囲】
【請求項１】
別体となる第１及び第２の本体部と、当該第１及び第２の本体部を相互に結合及び分離させるための連結部と、第１及び第２の本体部にそれぞれ設けられるとともに、ユーザが分離した第１及び第２の本体部を保持した状態で、ユーザに対する第１及び第２の本体部の向きを検出可能な検出手段とを備えていることを特徴とする電子楽器機能付き携帯電話機。
【請求項２】
前記検出手段は、第１及び第２の本体部の動作を検出可能に設けられていることを特徴とする請求項１記載の電子楽器機能付き携帯電話機。
【請求項３】
前記連結部は、結合時に相互に対向する合わせ面をそれぞれ備え、当該合わせ面に対し、第１及び第２の本体部が対称形状に設けられていることを特徴とする請求項１又は２記載の電子楽器機能付き携帯電話機。
【請求項４】
前記第１及び第２の本体部は、直線方向に沿って延出する形状に形成され、延出方向一端側領域にキーが設けられていることを特徴とする請求項１，２又は３記載の電子楽器機能付き携帯電話機。
【発明の詳細な説明】
【技術分野】
【０００１】
本発明は、通話等の機能の他、電子楽器としての機能も有する携帯電話機に関する。
【背景技術】
【０００２】
従来より、種々の形態をなす電子楽器が利用されており、かかる電子楽器としては、本出願人によって既に提案された特許文献１に開示されたタイプのものが知られている。同文献の電子楽器は、ドラムセットを演奏する動作を行うことで、当該動作を検出手段で検出して電子音を再生できるようになっている。同文献では、ドラムセットを演奏するためのスティックと同様の外形をなす電子楽器の他、携帯電話に検出手段等を内蔵して演奏可能とする構成も開示している。
【０００３】
【特許文献１】特開２００７−２５６７３６号公報
【発明の開示】
【発明が解決しようとする課題】
【０００４】
しかしながら、特許文献１のように携帯電話に検出手段等を内蔵した場合、単一の携帯電話では一方の手でしか演奏できず、両手を用いるドラムセットの演奏を行うことができなくなる、という不都合がある。ここで、二台の携帯電話を用いれば両手で演奏し得るものの、当該演奏を行えるようにすべく、ユーザに携帯電話を二台保有させることが必要となり、現実的ではないという不都合を招来する。
【０００５】
［発明の目的］
本発明は、このような不都合に着目して案出されたものであり、その目的は、携帯電話としての機能を有しつつ、必要に応じて両手を用いてドラムセット等の打楽器と同様の演奏を行うことができる電子楽器機能付き携帯電話機を提供することにある。
【課題を解決するための手段】
【０００６】
前記目的を達成するため、本発明は、別体となる第１及び第２の本体部と、当該第１及び第２の本体部を相互に結合及び分離させるための連結部と、第１及び第２の本体部にそれぞれ設けられるとともに、ユーザが分離した第１及び第２の本体部を保持した状態で、ユーザに対する第１及び第２の本体部の向きを検出可能な検出手段とを備える、という構成が採用されている。
【０００７】
本発明において、前記検出手段は、第１及び第２の本体部の動作を検出可能に設けられる、という構成が好ましくは採用される。
【０００８】
また、前記連結部は、結合時に相互に対向する合わせ面をそれぞれ備え、当該合わせ面に対し、第１及び第２の本体部が対称形状に設けられることが好ましい。
【０００９】
更に、前記第１及び第２の本体部は、直線方向に沿って延出する形状に形成され、延出方向一端側領域にキーが設けられる、という構成を採ることができる。
【発明の効果】
【００１０】
本発明によれば、第１及び第２の本体部を分離することで、それらの何れか一方を右手で保持し、他方を左手で保持することができ、単一の携帯電話機で両手を用いたドラムセットを演奏するような動作を行うことが可能となる。これにより、携帯電話を二台用意する必要性を排除でき、一台の携帯電話機で手軽に演奏を行うことが可能となる。ここで、検出手段が第１及び第２の本体部の動作を検出する場合、打撃するような演奏動作をより良く検出することができる。
【００１１】
また、連結部の合わせ面に対して第１及び第２の本体部を対称形状に設けることで、恰も割り箸のように第１及び第２の本体部を分離でき、打楽器を叩くためのスティックと同様に第１及び第２の本体部を扱うことが可能となる。しかも、演奏を行わないときは、各合わせ面を合わせて第１及び第２の本体部を結合させることで、板状又は棒状の携帯電話機となり、公知の携帯電話と同様にスムースに利用することができる。
【００１２】
更に、第１及び第２の本体部の延出方向一端側領域にキーが設けられているので、当該一端側領域を把持することで、演奏中にキー操作を行うことができ、音色や音量を容易に調整することが可能となる。しかも、前記キーを携帯電話機のテンキーとしても用いるようにすれば、構造の簡略化を図ることが可能となる。
【発明を実施するための最良の形態】
【００１３】
以下、本発明の好ましい実施の形態について図面を参照しながら説明する。
なお、本明細書及び特許請求の範囲において、方向若しくは位置を示す用語は、特に明示しない限り、図１を基準として用いる。
【００１４】
図１には、実施形態に係る携帯電話機の概略正面図が示され、図２には、図１の背面図が示されている。これらの図において、携帯電話機１０は、図１中左側に位置する第１の本体部１１と、同図中右側に位置し、第１の本体部１１と別体となる第２の本体部１２と、第１及び第２の本体部１１，１２にそれぞれ設けられた検出手段１４、発音装置１５及び結合検知手段１６とを備えて構成されている。携帯電話機１０は、通話やメール等、公知の携帯電話が有する一般的機能の他、後述する電子楽器としての機能を備えている。
【００１５】
前記第１及び第２の本体部１１，１２は、それらの間に設けられた連結部１８を介して相互に結合及び分離可能に設けられている（図３及び図４参照）。連結部１８は、第１の本体部１１の右側面を形成する第１の合わせ面１９と、第２の本体部１２の左側面を形成するとともに、第１の合わせ面１９と相互に対向して面接触可能な第２の合わせ面２０と、第１の合わせ面１９に設けられた上下一対の突起２２，２２と、第２の合わせ面２０に設けられ、前記突起２２，２２を受容する凹状の受容部２３，２３とを備えて構成されている。各受容部２３，２３内に突起２２，２２を嵌め込むことで、第１及び第２の本体部１１，１２の結合時における相対位置を位置決めできるようになっている。また、第１及び第２の合わせ面１９，２０の内面側には図示しないマグネットがそれぞれ設けられ、当該マグネットの磁力によって第１及び第２の本体部１１，１２の結合状態を維持可能に設けられている。なお、第１及び第２の合わせ面１９，２０自体を、磁性を帯びた部材により形成してもよい。
【００１６】
図１に示されるように、第１及び第２の本体部１１，１２は、相互に結合した状態で前記第１及び第２の合わせ面１９，２０に対し、対称となる形状に設けられている。また、第１及び第２の本体部１１，１２は、上下に延びる直線方向に沿って延出する角柱状に形成されるとともに、上方に向かって次第に薄厚となるように設けられている。更に、図４に示されるように、第１及び第２の本体部１１，１２の上下両端側は、半円弧状の側面形状に設けられている。第１及び第２の本体部１１，１２の下端側には、通話に用いられるマイク２５（図１参照）及びストラップ用穴２６（図２参照）がそれぞれ設けられ、図５に示されるように、ストラップ用穴２６を介して第１及び第２の本体部１１，１２にそれぞれストラップ２７を取り付け可能となる。また、図２に示されるように、第２の本体部１２の後面側には、内蔵されたカメラのレンズ２８が設けられる。
【００１７】
前記検出手段１４及び発音装置１５は、略同一構造のものが第１及び第２の本体部１１，１２にそれぞれ組み込まれる。従って、以下の説明において、第１の本体部１１に設けられた検出手段１４及び発音装置１５について説明し、第２の本体部１２に設けられた検出手段１４及び発音装置１５の説明を省略若しくは簡略にする。
【００１８】
前記検出手段１４は、第１の本体部１１を保持するユーザに対する当該第１の本体部１１の向きを検出可能な第１のセンサ１４Ａと、第１の本体部１１の動作を検出可能な第２のセンサ１４Ｂとを備えている。第１のセンサ１４Ａは、地磁気センサにより構成され、本体部１１の軸線が向けられた方位を検出して前記発音装置１５に出力するようになっている。第２のセンサ１４Ｂは、特に限定されるものでないが、本実施形態では、加速度センサにより構成され、第１の本体部１１の動作に応じた加速度を検出して前記発音装置１５に出力可能に設けられている。
なお、第１及び第２のセンサ１４Ａ，１４Ｂは、隣接するように配置されているが、これらの一方が第１の本体部１１の一端側で、他方が第１の本体部１１の他端側や中間部にする等、相互に離れて配置してもよい。
【００１９】
前記発音装置１５は、第１の本体部１１に内蔵されている。発音装置１５は、図６に示されるように、前記第１及び第２のセンサ１４Ａ，１４Ｂの出力信号を入力する機能等を有するコントローラ３１と、種々の楽音を記憶するとともに、コントローラ３１からの出力を入力として楽音信号を生成するＭＩＤＩ装置等からなる音源ユニット３２と、この音源ユニット３２から出力された信号を増幅するアンプ３３と、このアンプ３３からの信号を入力として第１の本体部１１の上端側から電子音を再生するスピーカ３４とを備えて構成されている。本実施形態では、スピーカ３４は、通話内容を耳元で聴くためのスピーカを用いたが、呼び出し音等を再生する他のスピーカを用いたり、各センサ１４Ａ，１４Ｂの出力に応じた音だけを再生するスピーカを別途設けてもよい。
【００２０】
前記コントローラ１８は、図７に示されるように、各種演算処理を行うとともに各部を制御するＣＰＵ（中央処理装置）３７と、前記第１及び第２のセンサ１４Ａ，１４Ｂの出力信号をデジタル信号に変換してＣＰＵ３７に出力するＡ／Ｄコンバータ３８，３９と、ＣＰＵ３７のワークメモリとして使用されるＲＡＭ４０（Random Access Memory）と、ＣＰＵ３７に読み出されて実行されるプログラム群を格納したＲＯＭ４１（Read only
Memory）と、第１の本体部１１の下端側略半分領域（図１参照）に設けられてユーザにより操作されるキー４３と、第１の本体部１１の上端側略半分領域に設けられたＬＥＤ、ＬＣＤ、ＥＬ（エレクトロルミネッセンス）ディスプレイ等により構成される表示ユニット４４とを備えている。
【００２１】
前記キー４３は、通話やメール等を行う場合は、テンキーやメニュー選択の操作用に用いられる。また、キー４３は、電子楽器として利用する場合、ユーザにより種々の操作を行えるようになっており、例えば、操作時における第１のセンサ１４Ａが検出した第１の本体部１１の向きを基準値として設定したり、電源のＯＮ／ＯＦＦを切り替えたり、スピーカ３４からの音量を調整したり、前記音源ユニット３２における音色や楽調を切り替えたりすることができるようになっている。
【００２２】
前記表示ユニット４４は、通話やメール等を行う場合は、キー４３の押圧操作に応じて数字や文字を表示する。また、表示ユニット４４は、電子楽器として利用する場合、演奏中の音色や音色割り当てパターン、楽調等を表示するようになっている。
【００２３】
前記結合検知手段１６は、第１及び第２の本体部１１，１２の結合状態及び分離状態を検知可能なセンサやスイッチからなる。結合検知手段１６が前記結合状態を検知した場合、携帯電話としての機能をＯＮ、電子楽器としての機能をＯＦＦとし、結合検知手段１６が前記分離状態を検知した場合、携帯電話としての機能をＯＦＦ、電子楽器としての機能をＯＮとするよう図示しない制御手段を介して制御される。前記携帯電話としての機能をＯＮとした場合、図示しない無線送受信手段を介して第１及び第２の本体部１１，１２間で信号の送受信を行い、通常の一体の携帯電話として機能するようになっている。
なお、本実施形態では、結合検知手段１６を第１及び第２の本体部１１，１２の両方に設けたが、何れか一方だけに設けてもよく、例えば、受容部２３内にセンサを設け、このセンサが突起２２の存在を検出するようにしてもよい。
【００２４】
以上の構成において、第１及び第２の本体部１１，１２を結合する場合、前記各突起２２，２２を凹部２３，２３内に嵌め込むことで、各本体部１１，１２が位置決めされるとともに、前記マグネット（図示省略）の作用により結合状態が維持される。この状態から、意図的な外力を付与して第１及び第２の本体部１１，１２を引き離すことで、これらを分離することができる。分離した状態では、例えば、第１の本体部１１を左手で保持するとともに、第２の本体部１２を右手で保持可能となる。これにより、ユーザが両手にそれぞれスティックを持ったような状態となり、両手を用いてドラムセットを演奏するような動作を行えるようになる。このとき、図５に示されるように、取り付けられた各ストラップ２７，２７に手を通した状態で使用することで、第１及び第２の本体部１１，１２が手から滑り落ちる不安感をなくすようにすることができる。
【００２５】
次に、前記携帯電話１０を電子楽器として機能させる場合の演奏時における処理の手順を、図８及び図９を用いて説明する。なお、処理の手順は、第１及び第２の本体部１１，１２で同様に行われることから、以下の説明では、第１の本体部１１について説明し、第２の本体部１２の説明を省略若しくは簡略にする。
【００２６】
ここでは、図８に示されるように、ユーザＰが第１の本体部１１の下端側（キー４３側）を把持した状態を平面視したときに、後述の表１に示す関係となるように、コントローラ３１において予め設定されているものとする。
【００２７】
【表１】
2010020254.tif 000003
【００２８】
携帯電話機１０を用いて電子楽器として演奏すべく、ユーザＰが打楽器の打面を打撃するような動作（以下、「打撃模倣操作」とする）、すなわち、手に持った第１の本体部１１を上から下に向かって振り落とすと、その動作の上下方向（ｚ軸方向）の加速度αを第２のセンサ１４Ｂを介して検出し（ステップＳ１）、当該加速度αが所定値ｋより大きいか否かを判定する（ステップＳ２）。加速度αが所定値ｋより大きい場合には、第１のセンサ１４Ａにより本体部１１の軸線向きθを検出する（ステップＳ３）。この軸線向きθが、表１の（１）の条件を満たす場合には（ステップＳ４）、音色Ａが発音され（ステップＳ５）、同表（２）の条件を満たす場合には（ステップＳ６）、音色Ｂが発音され（ステップＳ７）、同表（３）の条件を満たす場合には（ステップＳ８）、音色Ｃが発音される（ステップＳ９）。なお、ステップＳ４，Ｓ６，Ｓ８において軸線向きθが同表（１）〜（３）の何れの条件も満たすものでなかったり、ステップＳ５，Ｓ７，Ｓ９において発音処理を行ったり、ステップＳ２において加速度αが所定値ｋ以下であった場合、再度、前記ステップ１の処理を行う。
【００２９】
ここで、図１０（Ａ）に示されるように、音色Ａをドラムセットのハイハット、音色Ｂをドラムセットのバス、音色Ｃをドラムセットのスネアのような音色にコントローラ３１及び音源ユニット３２において設定することができる。これにより、ドラムセットの演奏時におけるスティックの向きと同様に第１の本体部１１の向きを変えて打撃模倣操作を行うことで、パッドや打面等を特に打撃することなく、ドラムセットのような音色で演奏を行うことができる。また、前記キー４３を操作することで、音色Ａ〜Ｃを他の音色に切り替えるように設定してもよく、例えば、図１０（Ｂ）に示されるように、音色Ａ〜Ｃをドラムセットのタム１〜３のような音色に設定してもよい。これによれば、演奏中に、音色を切り替え可能として発音の音色が増大し、演奏のバリエーションを増やしたり、ドラムセットの発音により近付けることが可能となる。
【００３０】
ところで、図１１（Ａ）及び（Ｂ）に示されるように、ユーザＰが体の正面の向きを変えると、第１のセンサ１４Ａが地磁気センサを利用していることから、前述の軸線向きθと音色Ａ〜Ｃとの関係が変化することとなる。このとき、図１１（Ｃ）に示されるように、第１の本体部１１をユーザＰに対して前方に向けた状態で前記キー４３を所定操作することにより、第１のセンサ１４Ａが検出した台１の本体部１１の軸線向きθを基準値とし、ユーザＰから見て軸線向きθと音色Ａ〜Ｃとの関係を前述した初期状態に復帰させることができる。
【００３１】
従って、このような第１実施形態によれば、第１及び第２の本体部１１，１２を分離することにより、両手で打撃模倣操作可能なコントローラとして利用することが可能となる。これにより、単一の携帯電話機１０であっても、ドラムセットや打楽器の演奏及びその練習を手軽に行うことが可能となる。
また、キー４３は、通話やメールの操作だけでなく、演奏の操作にも利用できるので、構造の簡略化を図ることができ、且つ、演奏のバリエーションを増やすことが可能となる。
【００３２】
次に、本発明の第１実施形態以外の実施形態について説明する。なお、以下の説明において、前記第１実施形態と同一若しくは同等の構成部分については必要に応じて同一符号を用いるものとし、説明を省略若しくは簡略にする。
なお、図１２〜図１４中の携帯電話機１０において、図６と比べて削除された構成は、図示、説明の便宜上、省略したものであり、通話やメール等の携帯電話としての機能を発揮するための構成が省略されるものでない。
【００３３】
［第２実施形態］
図１２には、本発明の第２実施形態に係る携帯電話機１０及びその周辺装置のブロック図が示されている。この第２実施形態は、前述のアンプ３３及びスピーカ３４と同様の機能を有するＦＭラジオ４８を用いている。音源ユニット３２には、ＦＭ波の送信機４９が設けられており、このＦＭ波をＦＭラジオ４８が受信して当該ＦＭラジオ４８から音源ユニット３２で生成された電子音を再生できるようになっている。これによれば、前述のアンプ３３及びスピーカ３４の代わりに既存のＦＭラジオ４８を利用することが可能となる。
【００３４】
［第３実施形態］
図１３には、本発明の第３実施形態に係る携帯電話機１０及びその周辺装置のブロック図が示されている。この第３実施形態は、第１及び第２の本体部１１，１２とは別の発音装置１５を用意するとともに、これらをケーブル５１を介して接続したものである。これによれば、コントローラ３１や音源３２等をそれぞれ単一として構造の簡素化を図ることが可能となる。なお、発音装置１５は、図示省略した適宜な筐体内に組み込まれることが例示できる。
【００３５】
［第４実施形態］
図１４には、本発明の第４実施形態に係る携帯電話機１０及びその周辺装置のブロック図が示されている。この第４実施形態は、第１及び第２の本体部１１，１２とは別の発音装置１５を用意するとともに、無線装置５４を介して信号を送受信するようにしたものである。無線装置５４は、各本体部１１，１２に設けられるとともに、前記コントローラ３１と略同様の機能を有するコントローラ５５に接続されて第１及び第２のセンサ１４Ａ，１４Ｂの出力信号を送信する送信機５６と、発音装置１５のコントローラ３１に接続されるとともに、送信機５６からの送信信号を受信する受信機５７とを備えている。これによれば、各本体部１１，１２とは別に発音装置１５を取り扱うことができ、ホール等の比較的広い演奏会場であっても、発音装置１５を大型化、高機能化して対応できる等、演奏態様等にバリエーションを付与することが可能となる。
【００３６】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３７】
例えば、図８では、軸線向きθがユーザＰの正面側で略等分に三分割した範囲において三種類の音色Ａ〜Ｃを奏するように設定したが、分割する範囲を増減し、音色の種類も増減させてもよい。更に、音色の種類は、ドラムセットや打楽器以外の楽器や擬音等に設定してもよい。
また、第１及び第２の本体部１１，１２の形状は、ユーザＰが把持して演奏を行える限りにおいて、種々の設計変更が可能である。但し、前記実施形態のような形状とすれば、通常の携帯電話と同様に利用でき、且つ、打楽器と同様の動作によって演奏を行い易くなる点で有利となる。
また、検出手段１４において、第２のセンサ１４Ｂを省略し、第１のセンサ１４Ａの検出信号だけで前述の打撃模倣動作を検出するようにしてもよい。但し、前記打撃模倣動作を感度良く検出するには第２のセンサ１４Ｂを用いた方が好ましい。
【図面の簡単な説明】
【００３８】
【図１】第１実施形態に係る携帯電話機の概略正面図。
【図２】図１の背面図。
【図３】図１の分解正面図。
【図４】第１の本体部の右側面図。
【図５】使用状態の一例を示す図２と同様の背面図。
【図６】前記携帯電話機の概略的な構成を示すブロック図。
【図７】発音装置の構成を示すブロック図。
【図８】演奏時の音色の変化を説明するための図。
【図９】演奏時の処理の流れを示すフローチャート。
【図１０】（Ａ）及び（Ｂ）は、図８の具体例を説明するための図。
【図１１】（Ａ）〜（Ｃ）は、演奏者の体の向きが変化した場合の設定方法の説明図。
【図１２】第２実施形態に係る図６と同様のブロック図。
【図１３】第３実施形態に係る図６と同様のブロック図。
【図１４】第４実施形態に係る図６と同様のブロック図。
【符号の説明】
【００３９】
１０・・・携帯電話機、１１・・・第１の本体部、１２・・・第２の本体部、１４・・・検出手段、１８・・・連結部、１９，２０・・・合わせ面
【図１】
2010020254.tif 000004
【図２】
2010020254.tif 000005
【図３】
2010020254.tif 000006
【図４】
2010020254.tif 000007
【図５】
2010020254.tif 000008
【図６】
2010020254.tif 000009
【図７】
2010020254.tif 000010
【図８】
2010020254.tif 000011
【図９】
2010020254.tif 000012
【図１０】
2010020254.tif 000013
【図１１】
2010020254.tif 000014
【図１２】
2010020254.tif 000015
【図１３】
2010020254.tif 000016
【図１４】
2010020254.tif 000017